(57)【要約】【課題】蓄熱体を蓄熱するための時間のロスをなくす。【解決手段】板状のハンドル１１の両端部に設けた対向する一対の軸受部１２、１２に、中空のローラ２１の両端に設けられた軸２２が回転可能に、かつ着脱可能に支持される。ローラ２１は、円筒状のローラ本体２３と、ローラ本体２３の一端を開閉する蓋２４と、他端を閉塞する蓋２５と、ローラ本体２３の外側に着脱可能に嵌められる円筒状のカバー２６とを有する。このローラ本体２３に、蓄熱剤３２としてのシリコンオイルを袋に収納して形成された蓄熱体３１が収納される。一対の軸受部１２、１２から取り外したローラ本体２３から蓄熱体３１を取り外すことができるので、その蓄熱体３１を予め加熱または冷却させた別の蓄熱体３１と交換することができる。これにより、蓄熱体３１を蓄熱または冷却するための時間のロスをなくすことができる。【選択図】図１
2010035743.tif 000002
【特許請求の範囲】
【請求項１】
両端に軸を設けた中空のローラと、対向一対の軸受部を有するハンドルとを備え、前記ローラの軸を前記ハンドルの対向一対の軸受部で回転可能に、かつ着脱可能に支持し、前記ローラは、ローラ本体とそのローラ本体の少なくとも一端を開閉する蓋とを備え、前記ローラ本体に蓄熱体が出し入れ可能に収納されたマッサージ具。
【請求項２】
前記蓄熱体が蓄熱剤を袋に収納して形成された請求項１に記載のマッサージ具。
【請求項３】
前記蓄熱剤がシリコンオイルである請求項２に記載のマッサージ具。
【請求項４】
前記ローラが前記ローラ本体の外側に着脱可能の筒状のカバーを有し、そのカバーにそのカバーの内周面から外周面に貫通する通気孔を周方向の複数箇所に設けた請求項１〜３のいずれかに記載のマッサージ具。
【請求項５】
前記カバーの表面に複数の突起を形成した請求項４に記載のマッサージ具。
【請求項６】
前記カバーが柔軟性を有する樹脂により形成された請求項４または５に記載のマッサージ具。
【発明の詳細な説明】
【技術分野】
【０００１】
この発明は、肌の表面を温めながら、または冷やしながらマッサージするローラを備えたマッサージ具に関する。
【背景技術】
【０００２】
従来から、肌の表面を冷やしながらマッサージするために、手に持って使用することで手軽に冷却による刺激を与えられるローラを備えたマッサージ具が用いられている。
【０００３】
この種のマッサージ具としては、中空のローラを貫通する軸を、ハンドルに設けられた対向一対の軸受孔で回転可能に支持し、前記ローラの内部に蓄熱体が収納されたものが知られている。
【０００４】
このマッサージ具は、使用前、そのマッサージ具を冷凍庫に入れて、ローラ内の蓄熱剤を凍らせておき、使用時に冷凍庫から取り出して、手に持ったハンドルのローラを肌の表面に押し付けながらその表面に沿って移動させる。このローラの移動により、肌に冷却刺激を与えて、肌の引き締め効果を得ることができる（特許文献１参照）。
【特許文献１】実用新案登録第３０４２０８１号  公報
【発明の開示】
【発明が解決しようとする課題】
【０００５】
しかし、従来のマッサージ具は、中空のローラを貫通する軸をハンドルの対向一対の軸受孔に通し両端を折り曲げて、その軸受孔で支持している（特許文献  図１参照）。このため、蓄熱体をローラから出し入れすることができないので、使用前、マッサージ具自体を冷却する必要があり、その間、マッサージ具を使用することができないという問題があった。
【０００６】
そこで、この発明は、蓄熱体を蓄熱するための時間のロスをなくすことを課題とする。
【課題を解決するための手段】
【０００７】
上記の課題を解決するために、この発明は、両端に軸を設けた中空のローラと、対向一対の軸受部を有するハンドルとを備え、前記ローラの軸を前記ハンドルの対向一対の軸受部で回転可能に、かつ着脱可能に支持し、前記ローラは、ローラ本体とそのローラ本体の少なくとも一端を開閉する蓋とを備え、前記ローラ本体に蓄熱体が出し入れ可能に収納された構成を採用したのである。
【０００８】
このようにすると、軸受部から取り外したローラ本体から蓄熱体を取り外すことができるので、その蓄熱体を予め加熱または冷却させた別の蓄熱体と交換することができる。この蓄熱体の交換によって、蓄熱体を蓄熱または冷却するための時間のロスをなくすことができる。
ここで、蓄熱体とは、加熱により蓄熱可能なものだけでなく、冷却により蓄冷可能なものを含むものとする。
【０００９】
前記構成において、前記蓄熱体が蓄熱剤を袋に収納して形成された構成を採用すると、蓄熱剤を収納した袋をローラ本体から出し入れすることで蓄熱体を容易に交換することができる。また、蓄熱剤が固形である場合だけでなく、液状やゲル状である場合にも袋に収納して蓄熱体を形成することができる。
【００１０】
また、蓄熱体が蓄熱剤を袋に収納して形成された場合、その蓄熱剤がシリコンオイルであると、シリコンオイルは、熱容量が水と比して大きく、加熱により蓄熱し、または冷却による蓄冷する。このため、ローラ本体に蓄熱または蓄冷した蓄熱体を入れて使用すると、肌に温熱刺激または冷却刺激を与えることができる。
【００１１】
前記ローラが前記ローラ本体の外側に着脱可能の筒状のカバーを有し、そのカバーにそのカバーの内周面から外周面に貫通する通気孔を周方向の複数箇所に設けた構成とすると、ローラは外面がカバーで覆われているので、冷却した蓄熱体で冷えたローラが肌に直接接触せず、冷却した蓄熱体からローラに伝わった冷気はカバーの通気孔を通して外部に伝わる。この冷気で肌を適度に冷やし、肌に冷却刺激を与えつつ、ローラの転動に伴いマッサージすることができる。
【００１２】
一方、加熱した蓄熱体をローラ本体に収納した場合、蓄熱体で温まったローラが肌に直接接触せず、ローラに伝わった暖気が、カバーの通気孔を通して外部に伝わる。この場合では、この暖気で肌を適度に温め、肌に温熱刺激を与えつつ、ローラの転動に伴いマッサージすることができる。
【００１３】
また、前記カバーの表面に複数の突起を形成したものとすると、ローラの回動に伴いその各突起が肌の表面を順次押し付けるので、その表面に対して押し付け力（指圧力）の強弱が得られ、指圧効果を付与することができる。
【００１４】
前記カバーが柔軟性を有する樹脂により形成されたものであると、ローラを肌に押し付けたとき、カバーの肌に対する感触がソフトになり、肌への刺激が強くなり過ぎない。
【発明の効果】
【００１５】
この発明のマッサージ具は、ローラ本体に蓄熱体が出し入れ可能に収納されているので、予め加熱または冷却させた別の蓄熱体と交換することによって、蓄熱体を蓄熱するための時間のロスをなくすことができ、効率良くマッサージを行うことができる。
【発明を実施するための最良の形態】
【００１６】
この発明のマッサージ具の実施形態を図１から図８に基づいて説明する。
このマッサージ具は、図１に示すように、対向一対の軸受部１２を有するハンドル１１と、この対向一対の軸受部１２で支持される軸を両端に設けた中空のローラ２１とを備えたものである。
【００１７】
ハンドル１１は、合成樹脂製の板状部材であり、その両端部を同じ向きに折り曲げて対向する一対の前記軸受部１２、１２が形成される。一対の軸受部１２、１２の間には掛け渡すように補強板１４が一体に形成され、補強板１４はローラ２１の外周面に沿って湾曲している（図２参照）。
【００１８】
ハンドル１１の一対の軸受部１２、１２には、貫通孔１３がそれぞれ形成され、ローラ２１の両端に設けられる軸２２が嵌る。
【００１９】
軸２２を両端に設けたローラ２１は、円筒状のローラ本体２３と、ローラ本体２３の一端を開閉する蓋２４と、他端を閉塞する蓋２５と、ローラ本体２３の外側に着脱可能に嵌められる円筒状のカバー２６とを有する。
【００２０】
ローラ２１の一部を構成するローラ本体２３は、図３に示すように、金属製の円筒部材から形成され、一端が蓋２４により開閉可能となっており、他端が蓋２５により閉塞されている。この蓋２４、２５の外面（ローラ本体２３の軸方向外向きの面）の中央には、軸２２としての突起が形成されている。ローラ本体２３の材質は、熱伝導性が良好な金属を採用することが可能であり、例えば、アルミニウムが好ましい。
【００２１】
ローラ本体２３の外側のカバー２６は、合成樹脂製の円筒部材により形成され、ローラ本体２３の外側にすき間無く着脱可能に嵌められている。カバー２６の表面には、軸方向複数並んだ四角錘形の突起２７、２７・・・が、周方向に所定の間隔をおいて複数箇所に形成されている（図３参照）。
【００２２】
各突起２７の形状は、指圧効果が得られるものであれば、四角錐形に限られず、円錐形、三角錐形、半球形としてもよい。また、カバー２６を形成する合成樹脂として柔軟性を有するものを採用しても良い。この場合、肌に対するカバー２６の感触がソフトになり、ローラ２１を顔面に押し付けたとき、肌に対する刺激が強くなり過ぎない。
【００２３】
また、カバー２６には軸方向に複数並んだ円形の通気孔２８、２８・・・・が、周方向に所定の間隔をおいて複数箇所設けられている。各通気孔２８は、カバー２６の内周面から外周面を貫通している。この通気孔２８を軸方向に延びる長孔状に形成し、この長孔状の通気孔２８を、カバー２６の周方向に所定の間隔をもって複数箇所に設けてもよい。
【００２４】
ローラ本体２３に出し入れ可能に入れられる蓄熱体３１は、図４に示すように、蓄熱剤３２を袋に収納することにより形成され、袋内の空間を３つに区画し、区画ごとに蓄熱剤３２を収納している。袋が３つに区画されているので、蓄熱体３１を３つ折りにして、蓋２４を外してローラ本体２３内に収納することができる。また、蓋２４を外すと、ローラ本体２３内の蓄熱体３１を取り出すことができる。
【００２５】
また、蓄熱剤３２としては、蓄熱性が良く、熱容量の大きい物質、例えば、シリコンオイルを採用することができる。蓄熱剤３２がシリコンオイルであると、これを加熱（冷却）することで蓄熱（蓄冷）し、使用時に、放熱（放冷）する。
【００２６】
また、蓄熱剤３２として、蓄冷剤（水を主成分とし、水に凝固点降下剤、ゲル化剤、保存料等を配合した液状・ゲル状の物質で、予め凍らせておき、その融解潜熱を利用するもの）を採用することができる。蓄冷剤を袋に収納して蓄熱体（蓄冷体）を形成すると、凍らせた蓄冷体は、使用時に放冷する。
【００２７】
蓄熱体３１を収納し、一端を蓋２４で閉じたローラ本体２３の外側にカバー２６を嵌めることで、ローラ２１が形成され、ローラ２１は、図５に示すように、ハンドル１１に対して一対の軸受部１２により着脱可能に、かつ回転可能に支持される。
【００２８】
次に、このマッサージ具の使用方法を説明する。
このマッサージ具は、使用前に、ローラ２１をハンドル１１から取り外し、ローラ２１のローラ本体２３の蓋２４を外す。このローラ本体２３に予め冷凍庫で冷却した蓄熱体３１を収納し、蓋２４を閉めてローラ本体２３の外側にカバー２６を取り付けてローラ２１とし、このローラ２１をハンドル１１に取り付ける。
【００２９】
続いて、図６に示すように、ローラ２１を取り付けたハンドル１１を持って、ローラ２１を顔面や上腕、大腿部などの肌に軽く押し当て、ローラ２１を肌に沿って転動させる。このようにすると、冷却した蓄熱体３１から冷気がローラ２１に伝わり、その冷気はローラ本体２３の外側を覆うカバー２６の通気孔を通して外部に伝わり、肌を適度に冷やして、肌に冷却刺激を与える。これにより、肌に引き締め効果が得られ、また、ローラ２１の転動に伴いカバー２６の突起２７が肌を指圧し、マッサージ効果も得られる。
【００３０】
また、冷凍庫で蓄熱体３１を冷却させる代わりに、予め６０℃程度で湯せんして暖めておき、温まった蓄熱体３１をローラ本体２３に収納してもよい。この場合、蓄熱体３１からローラ２１に伝わる熱は、カバー２６の通気孔を通して外部に伝わり、肌を適度に温め、肌に温熱刺激を与える。
【００３１】
マッサージ具を所定時間使用し続けると、蓄熱体３１が放冷、または放熱し、蓄熱体３１の温度が常温となる。蓄熱体３１が常温となったときは、ローラ２１をハンドル１１から取り外し、ローラ２１のローラ本体２３の蓋２４を外し、蓄熱体３１を取り出す。
【００３２】
その後、ローラ本体２３に予め冷凍庫で冷却した蓄熱体３１を収納し、蓋２４を閉めて、蓄熱体３１を交換する。続いて、ローラ本体２３の外側にカバー２６を取り付けてローラ２１とし、このローラ２１をハンドル１１に取り付け、再度、マッサージ具を使用する。このように、蓄熱体３１を別の蓄熱体３１に交換可能であるため、蓄熱体３１の蓄熱または蓄冷させる時間のロスをなくすことができる。
【００３３】
次に、このマッサージ具のローラ２１の変形例を図７に示す。
この変形例は、図７に示すように、ローラ２１のローラ本体２３の一端と蓋２４との嵌め合いをねじ結合による嵌め合いとしたのである。
【００３４】
この変形例は、ローラ本体２３内にシリコンオイルを充填し、蓋２４をローラ本体２３の一端に絞め込み、ローラ本体２３にシリコンオイルを封入する。このローラ本体２３の外側にカバー２６を取り付けてローラ２１とし、このローラ２１をハンドル１１に取り付けて使用する。
【００３５】
この変形例では、シリコンオイルを封入したローラ本体２３を複数用意し、予め冷却または加熱しておく。ローラ本体２３の外側にカバー２６を取り付けてローラ２１とし、このローラ２１をハンドル１１に取り付けて使用する。このようにローラ本体２３を交換することにより、蓄熱体３１の蓄熱または蓄冷させる時間のロスをなくすことができる。
【００３６】
この発明に係る第２実施形態を図８に示す。この実施形態では、軸状のハンドル１１の一端に対向する一対の軸受部１２、１２が、ハンドル１１の軸心とローラ２１の回転軸とが一致するように一体に設けられた点で前述の第１実施形態と相違する。その他の構成は前記第１実施形態の場合と同様である。
【００３７】
この実施形態のマッサージ具を使用すると、前記第１実施形態のものの場合では、身体の部位のうちで手の届かない部位やローラ２１を押し付け難かった部位にローラ２１を押し付けて、その部位の表面に冷却刺激または温熱刺激を与えることができる。
【図面の簡単な説明】
【００３８】
【図１】第１実施形態のマッサージ具を示す一部切り欠き正面図
【図２】同上のマッサージ具を示す断面図
【図３】同上のマッサージ具のローラと蓄熱体とを示す分解斜視図
【図４】同上のマッサージ具の蓄熱体を示す斜視図
【図５】同上のマッサージ具のハンドルとローラとの取り付けを示す分解斜視図
【図６】同上のマッサージ具の使用状態を示す斜視図
【図７】同上のマッサージ具のローラの変形例を示す斜視図
【図８】第２実施形態のマッサージ具を示す一部切り欠き正面図
【符号の説明】
【００３９】
１１  ハンドル
１２  軸受部
１３  貫通孔
１４  補強板
２１  ローラ
２２  軸
２３  ローラ本体
２４、２５  蓋
２６  カバー
２７  突起
２８  通気孔
３１  蓄熱体
３２  蓄熱剤
【図１】
2010035743.tif 000003
【図２】
2010035743.tif 000004
【図３】
2010035743.tif 000005
【図４】
2010035743.tif 000006
【図５】
2010035743.tif 000007
【図６】
2010035743.tif 000008
【図７】
2010035743.tif 000009
【図８】
2010035743.tif 000010